(57)【要約】【課題】  サポート部材にブラケットを取り付けた後でも簡単に横揺れ防止部材を装着することができるブラケットを提供することを目的とする。【解決手段】  サポート部材１０２のスリット１０７に挿入されるブラケット１の後端に設けられた係止フック１０と、係止フック１０の前方部のブラケット１に設けられ係止フック１０をスリット１０７に係止した時にサポート部材１０２の表面から円中心まで第１の距離だけ離れた位置に設けられた穴部１２と、第１の距離より大きい半径に形成され且つ中央部にビス穴２１と皿加工部２２を有する一対の円板２、２と、ビス穴２１に挿入され先端部が皿加工部２２に対応するテーパ部４１を有するねじ部４と、ねじ部４と螺合するナット部３２を有する固定部３と、を有し、ブラケット１に設けられた穴部１２を一対の円板２、２で挟み、円板２、２がねじ部４と固定部３で固定する。【選択図】  図１０
2007020743.tif 000002
【特許請求の範囲】
【請求項１】
サポート部材に上下多段に設けられたスリットに挿入されるブラケットの後端に設けられた係止フックと、この係止フックの前方部のブラケットに設けられ前記係止フックをスリットに係止した時に前記サポート部材の表面から円中心まで第１の距離だけ離れた位置に設けられた穴部と、前記第１の距離より大きい半径に形成され、且つ中央部にビス穴とビス穴に続く表面側に皿加工部分を有する一対の揺れ止め用円板と、前記ビス穴に挿入され先端部が前記皿加工部に対応するテーパ部分を有するねじ部と、このねじ部と螺合するねじ部を有する固定部と、を有し、前記ブラケットに設けられた穴部を一対の前記揺れ止め用円板で挟み、この円板がねじ部と固定部で固定することにより、前記円板に設けられた皿加工部に前記ねじ部のテーパ部分を当接させ、前記円板をサポート表面に当接させることを特徴とする陳列棚用ブラケット。
【請求項２】
前記固定部に摘み部が設けられていることを特徴とする請求項１に記載の陳列棚用ブラケット。
【発明の詳細な説明】
【技術分野】
【０００１】
この発明は、チャンネル鋼材やパイプ鋼材に上下多段にスリットを設けたサポート部材への着脱を簡単に行える陳列棚用ブラケットに関し、特にその陳列棚用ブラケットの左右の横揺れを防止するものである。
【背景技術】
【０００２】
店舗などに陳列棚を設置する場合、例えば、図１１の従来の陳列棚の斜視図に示すように、適当な間隔を置いて設置された支柱１０１にそれぞれチャンネル鋼材などからなるサポート部材１０２をタップネジ（図示せず）を用いて固定し、このサポート部材１０２に板状のブラケット1を係止し、更にこのブラケット１０３の上に棚板１０４が載せられる。サポート部材１０２の間には必要に応じてバックボード１０５が設置される。
【０００３】
図１２の縦断側面図に示すように、前記ブラケット1の後端部には上下2段以上の倒L字形に垂れ下がる係止フック１０が形成され、又、サポート部材１０２はこれら係止フック１０が挿抜される上下多段のスリット１０７と、これらスリット１０７から内部に挿入された係止フック１０が上下に移動できる縦溝１０８とを備える。そして、前記ブラケット1は、サポート部材１０２の前面に形成されたスリット１０７から係止フック１０を挿入してブラケット1を下げるという手順でチャンネル型サポート１０２に係止される。
【０００４】
ところで、従来のチャンネル型サポート１０２ではスリット１０７は縦長の角長孔に形成され、その幅は係止フック１０の挿抜を容易にするためにブラケット1の板厚よりも若干大きくしてある。又、縦溝１０８の幅は加工技術上の理由からこの挿入口１０７の幅よりも更に大きく形成されている。
【０００５】
このように、サポート部材１０２においては、スリット１０７がブラケット1の板厚よりも幅が大きい４角長孔に形成されているので、ブラケット1が挿入口１０７や縦溝１０８の中で横振れし易く、例えばブラケットに載置された棚板や商品などの支持が不安定になるという問題がある。
【０００６】
また、スリット１０７に比べてブラケット１の板厚が更に薄くなると横揺れも増大する。
【０００７】
ブラケット装飾用の化粧部材を弾性体で形成し、この弾性体をスリット内に挿入し、この弾性体を用いてブラケットのがたつきを防止する化粧部材が提案されている（特許文献１参照）。
【特許文献１】特開２０００−１５７３４８号公報
【発明の開示】
【発明が解決しようとする課題】
【０００８】
上記した特許文献１のものは、ブラケット装着用のスリットを目立たなくするためのものであり、化粧部材は全てのスリットに装着されるように構成されている。このため、ブラケットを取り付けないスリットにも弾性体が挿入されることになり、ブラケットの横揺れ防止だけを考えると無駄な材料を用いていることになる。
【０００９】
この発明は、上述した従来の問題点に鑑みなされたものにして、横揺れ防止が必要なブラケットに対して簡単に横揺れを防止させることができるブラケットを提供することを目的とする。
【００１０】
更に、この発明はサポート部材にブラケットを取り付けた後でも簡単に横揺れ防止部材を装着することができるブラケットを提供することを目的とする。
【課題を解決するための手段】
【００１１】
この発明は、サポート部材に上下多段に設けられたスリットに挿入されるブラケットの後端に設けられた係止フックと、この係止フックの前方部のブラケットに設けられ前記係止フックをスリットに係止した時に前記サポート部材の表面から円中心まで第１の距離だけ離れた位置に設けられた穴部と、前記第１の距離より大きい半径に形成され、且つ中央部にビス穴とビス穴に続く表面側に皿加工部分を有する一対の揺れ止め用円板と、前記ビス穴に挿入され先端部が前記皿加工部に対応するテーパ部分を有するねじ部と、このねじ部と螺合するねじ部を有する固定部と、を有し、前記ブラケットに設けられた穴部を一対の前記揺れ止め用円板で挟み、この円板がねじ部と固定部で固定することにより、前記円板に設けられた皿加工部に前記ねじ部のテーパ部分を当接させ、前記円板をサポート表面に当接させることを特徴とする。
【００１２】
前記固定部に摘み部が設けるとよい。
【発明の効果】
【００１３】
この発明によれば、揺れ止め部材が、一対の円板、、固定部、ねじ部の部材で構成しているので、ブラケットをサポート部材に装着前後のいずれでも組み立て、取り外しが自在に行える。従って、棚板を取り付けた後でも簡単に揺れ止め部材をブラケット１に取り付けることができる。
【００１４】
また、一対の円板でブラケットを挟み込むため、ブラケットの板厚に関係なく揺れ止め部材を取り付けることができる。
【発明を実施するための最良の形態】
【００１５】
この発明の実施の形態について図面を参照しながら詳細に説明する。なお、図中同一または相当部分には同一符号を付し、説明の重複を避けるためにその説明は繰返さない。
【００１６】
図１及び図２は、この発明の実施形態に係る陳列棚用ブラケットの要部を示し、図１はブラケットに横揺れ防止部材を取り付ける前の斜視図、図２は一部を断面した側面図である。図３及び図４は、この発明の実施形態に係る陳列棚用ブラケットの要部を示し、図３はブラケットに横揺れ防止部材を取り付けた後の斜視図、図４は一部を断面した側面図である。
【００１７】
ブラケット１の後端部には上下2段以上、この実施形態では２段の倒L字形に垂れ下がる係止フック１０が形成されている。この係止フック１０にはサポート１０２のスリット１０７に嵌め込むための矩形状の切り込み１１が設けられている。係止フック１０の前方部のブラケット１には、中心部が切り込み１１の先端部と同じ高さ位置にある穴１２が設けられている。この穴１２は、この実施形態ではブラケット１の上端から９ｍｍの位置に、直径４ｍｍの穴を設けている。
【００１８】
この穴１２には後述する揺れ止め用の円板２が取り付けられる。このように、切り込み１１の先端部と穴１２を同じ高さにしているのは、後述する揺れ止め部材を締め付けて固定した際に、ブラケット１の下部が浮き上がることを防止するためである。
【００１９】
そして、この穴１２は、係止フック１０をスリット１０７に係止した時にサポート部材１０２の表面から穴１２の円中心まで第１の距離だけ離れた位置に設けられている。この実施形態においては、略７ｍｍの位置に形成している。このため、この実施形態では、係止フック材１０の端部から穴１２の中心までの距離（図中Ａ）を６．６ｍｍとした。
【００２０】
尚、この実施形態におけるブラケット１は、例えば２．６ｍｍの板厚の鋼材を打ち抜き加工により形成される。また、サポート１０２のスリット幅は、例えば、３．３ｍｍである。
【００２１】
図５及び図６は、この実施形態における揺れ止め用円板を示し、図５は斜視図、図６は断面図、図７は、この実施形態における固定部を示す斜視図、図８は、この実施形態におけるねじ部を示す正面図である。図９、図１０はこの発明の実施形態におけるブラケットに揺れ止め用円板を固定した状態を示す上面図である。
【００２２】
揺れ止め用円板２は、この実施形態においては、直径が１６ｍｍの樹脂製の円板であり、その厚みは２．６ｍｍで図示はしないがブラケット１に当接する部分には０．８ｍｍ程度の直径１０．５ｍｍ程度の台座部が設けられている。この円板２は半径が８ｍｍであり、上記した第１の距離（図中Ａ）より大きい半径に形成されている。この円板２の中央部には直径６ｍｍの穴が設けられ、ブラケット１と当接しない方の表面には４５度のテーパ角度を有する皿加工部２２が設けられている。
【００２３】
固定部３は、樹脂製の円柱状に形成され、内部に４ｍｍのナット部材３２が取り付けられている。また、円柱の外周部は凹凸部からなる摘み部３１が設けられている。更に、固定部３の円板２と当接する側には円板２の皿加工部２２と係合するテーパ状の挿入部３３が設けられている。
【００２４】
ねじ部４は、４ｍｍの雄ねじが設けられており、ねじ頭部分に皿加工部２２に対応して４５度のテーパ部分４１が設けられている。
【００２５】
次に、この発明に係る陳列用ブラケットをサポート部材１０２に装着し、揺れ止め円板２を取り付ける方法につき図９ないし図１０を参照して説明する。
【００２６】
この実施形態においては、ブラケット１の板厚は２．６ｍｍのものを用い、スリット１０７の幅は３．３ｍｍとしている。この場合、両者の間の隙間は０．７ｍｍあり、揺れ止め材２を装着しない場合には、左右の横揺れは大きくなることは否めない。そこで、この発明おいては、一対の円板２、２を用いて揺れ止めを行っている。
【００２７】
ブラケット１の係止フック１０をサポート部材１０２のスリット１０７に挿入し、切り込み１１を嵌め込み、スリット１０７にブラケット１を係止させる。この状態では穴１２の中心はサポート部材１０２の表面から７ｍｍの位置になる。このブラケット１を一対の円板２、２で挟み、円板２の穴２１にねじ部４を挿通し、固定部３のナット部３２にねじ込み、一対の円板２、２、固定部３、ねじ部４を組み立てる。組み立て当初は、図９に示すように、ねじ部４と固定部３とは同芯に固定される。しかし、円板２は直径が１６ｍｍと、その半径が穴１２の中心からサポート部材１０２の表面迄の距離より大きい。このため、そのまま組み立てることはできない。
【００２８】
そこで、この実施形態では、４ｍｍのねじ部４に対して円板２の穴２１を６ｍｍと大きくするとともに、皿加工部２２を設けている。従って、組み立て当初は、ねじ部４と固定部３とが締め込まれていない状態では、円板２は前後に１ｍｍの遊びができ、それによりブラケット１にこれら部材を組み立てることができる。
【００２９】
ねじ部４を締め付けて行くと、円板２に設けられた皿加工部２２とねじ部４のテーパ部４１及び固定部３のテーパ状の挿入部３３に沿って円板２が穴４の中心位置に合うように移動する。その移動する力がサポート部材１０２を押す力となる。そして、ブラケット１を円板２が挟み込んで固定する力とサポート部材１０２に対して円板２が押す力が働き、ブラケット１自体の左右に対しての横揺れを抑える働きとなり、横揺れを防止できる。
【００３０】
上記したように、揺れ止め部材が、一対の円板２、２、固定部３、ねじ部４の部材で構成されているので、ブラケット１をサポート部材１０２に装着前後のいずれでも組み立て、取り外しが自在に行える。棚板を取り付けた後でも簡単に揺れ止め部材をブラケット１に取り付けることができる。
【００３１】
また、一対の円板２、２でブラケット１を挟み込むため、ブラケット１の板厚に関係なく揺れ止め部材を取り付けることができる。
【００３２】
更に、サポート部材１０２に当接する部材を円板２で構成したため、どこの位置で取り付けても確実にサポート部材１０２に当接させることができる。また、ブラケット１には、４ｍｍ程度の穴１２を設けるだけでよいので、ブラケット１の強度も損なうことはない。
【００３３】
今回開示された実施の形態はすべての点で例示であって制限的なものではないと考えられるべきである。本発明の範囲は、上記した実施の形態の説明ではなくて特許請求の範囲によって示され、特許請求の範囲と均等の意味および範囲内でのすべての変更が含まれることが意図される。
【産業上の利用可能性】
【００３４】
この発明は店舗用の陳列棚などに用いられる。
【図面の簡単な説明】
【００３５】
【図１】この発明の実施形態に係る陳列棚用ブラケットの要部を示し、ブラケットに横揺れ防止部材を取り付ける前の斜視図である。
【図２】この発明の実施形態に係る陳列棚用ブラケットの要部を示し、ブラケットに横揺れ防止部材を取り付ける前の一部を断面した側面図である。
【図３】この発明の実施形態に係る陳列棚用ブラケットの要部を示し、ブラケットに横揺れ防止部材を取り付けた後の斜視図である。
【図４】この発明の実施形態に係る陳列棚用ブラケットの要部を示し、ブラケットに横揺れ防止部材を取り付けた後の一部を断面した側面図である。
【図５】この発明の実施形態における揺れ止め用円板を示す斜視図である。
【図６】この発明の実施形態における揺れ止め用円板を示す断面図である。
【図７】この発明の実施形態における固定部を示す斜視図である。
【図８】この発明の実施形態におけるねじ部を示す正面図である。
【図９】この発明の実施形態におけるブラケットに揺れ止め用円板を固定した状態を示す上面図である。
【図１０】この発明の実施形態におけるブラケットに揺れ止め用円板を固定した状態を示す上面図である。
【図１１】従来の陳列棚の斜視図である。
【図１２】従来例の縦断側面図である。
【符号の説明】
【００３６】
１  ブラケット、１０  係止フック、１２  穴、２  円板（横揺れ防止用）２１  穴、２２  皿加工部、３  固定部、３１  ナット部、３３  挿入部、４  ねじ部  ４１  テーパ部分、１０２  サポート部材、１０７  スリット。
【図１】
2007020743.tif 000003
【図２】
2007020743.tif 000004
【図３】
2007020743.tif 000005
【図４】
2007020743.tif 000006
【図５】
2007020743.tif 000007
【図６】
2007020743.tif 000008
【図７】
2007020743.tif 000009
【図８】
2007020743.tif 000010
【図９】
2007020743.tif 000011
【図１０】
2007020743.tif 000012
【図１１】
2007020743.tif 000013
【図１２】
2007020743.tif 000014